(57)【要約】【課題】２つの画像処理回路を用いてＯＳＤ機能を実現する場合に、合成画像データを出力するまでに要する時間を短くできる技術を提供する。【解決手段】画像処理装置は、第１画像処理回路と、第１信号線および第２信号線を介して第１画像処理回路と接続される第２画像処理回路を備える。第１画像処理回路は、第１信号線を介して、ＯＳＤ画像を表すＯＳＤ画像データをｎ分割したｎ個の分割ＯＳＤ画像データを第２画像処理回路に出力し、第２信号線を介して、分割ＯＳＤ画像データの位置を示す位置情報を第２画像処理回路に出力する。第２画像処理回路は、第１入力画像を表す第１入力画像データと、ｎ個の分割ＯＳＤ画像データと、位置情報とに基づいて、第１入力画像にＯＳＤ画像が重なった合成画像を表す合成画像データを出力する。【選択図】図１
2019134327.tif 000002
【特許請求の範囲】
【請求項１】
第１画像処理回路と、
第１信号線および第２信号線を介して前記第１画像処理回路と接続される第２画像処理回路と、を備え、
前記第１画像処理回路は、
前記第１信号線を介して、ＯＳＤ画像を表すＯＳＤ画像データをｎ分割したｎ個の分割ＯＳＤ画像データを前記第２画像処理回路に出力し、
前記第２信号線を介して、前記分割ＯＳＤ画像データの位置を示す位置情報を前記第２画像処理回路に出力し、
前記第２画像処理回路は、第１入力画像を表す第１入力画像データと、前記ｎ個の分割ＯＳＤ画像データと、前記位置情報とに基づいて、前記第１入力画像に前記ＯＳＤ画像が重なった合成画像を表す合成画像データを出力する
ことを特徴とする画像処理装置。
【請求項２】
前記第１画像処理回路は、前記ＯＳＤ画像データをｎ分割して前記ｎ個の分割ＯＳＤ画像データを生成する分割部を備えることを特徴とする請求項１に記載の画像処理装置。
【請求項３】
前記第１画像処理回路は、
動作モードが第１モードである場合、前記第１信号線を介して前記分割ＯＳＤ画像を前記第２画像処理回路に出力し、
前記動作モードが第２モードである場合、前記第１信号線を介して、第２入力画像を表す第２入力画像データを前記第２画像処理回路に出力し、
前記第２画像処理回路は、
前記動作モードが前記第１モードである場合、前記第１入力画像データと前記ｎ個の分割ＯＳＤ画像データと前記位置情報とに基づいて、前記合成画像データを出力し、
前記動作モードが前記第２モードである場合、前記第２入力画像データについて解像度を変換する処理を施して出力画像データを出力する、
ことを特徴とする請求項１または２に記載の画像処理装置。
【請求項４】
前記第１画像処理回路は、前記第２信号線を介して、前記動作モードを示す動作モード情報を前記第２画像処理回路に出力し、
前記第２画像処理回路は、前記動作モード情報に基づいて前記動作モードを決定する、
ことを特徴とする請求項３に記載の画像処理装置。
【請求項５】
前記第２画像処理回路は、フレームメモリーを有し、
前記位置情報は、前記分割ＯＳＤ画像データの前記フレームメモリーにおける位置を示し、
前記第２画像処理回路は、前記位置情報に基づいて、前記分割ＯＳＤ画像データを前記フレームメモリーに書き込むことによって、前記ＯＳＤ画像データを生成する、
ことを特徴とする請求項１から４のいずれか１項に記載の画像処理装置。
【請求項６】
前記第２画像処理回路は、前記第１画像処理回路からの指示に応じて、前記合成画像データを出力することを特徴とする請求項１から５のいずれか１項に記載の画像処理装置。
【請求項７】
前記第１画像処理回路は、前記ＯＳＤ画像データの解像度が閾値以上である場合、前記分割ＯＳＤ画像データを前記第２画像処理回路に出力することを特徴とする請求項１から６のいずれか１項に記載の画像処理装置。
【請求項８】
前記第１画像処理回路は、前記ＯＳＤ画像データの解像度が前記閾値未満である場合、前記ＯＳＤ画像データを圧縮して圧縮ＯＳＤ画像データを生成し、第３信号線を介して前記圧縮ＯＳＤ画像データを前記第２画像処理回路に出力し、
前記第２画像処理回路は、前記圧縮ＯＳＤ画像データを解凍して解凍ＯＳＤ画像データを生成し、前記解凍ＯＳＤ画像データと前記入力画像データとに基づいて、前記合成画像データを出力することを特徴とする請求項７に記載の画像処理装置。
【請求項９】
前記第１画像処理回路は、前記ＯＳＤ画像データの解像度が前記閾値未満であり、かつ、前記ＯＳＤ画像データが予め設定された圧縮条件を満たす場合、前記圧縮ＯＳＤ画像データを生成し、前記第３信号線を介して前記圧縮ＯＳＤ画像データを前記第２画像処理回路に出力することを特徴とする請求項８に記載の画像処理装置。
【請求項１０】
請求項１から９のいずれか１項に記載の画像処理装置と、
前記画像処理装置が出力した合成画像データに応じた画像を、表示面に表示する表示部と、
を含むことを特徴とする表示装置。
【請求項１１】
第１画像処理回路が、第１信号線を介して、ＯＳＤ画像を表すＯＳＤ画像データをｎ分割したｎ個の分割ＯＳＤ画像データを第２画像処理回路に出力し、かつ、第２信号線を介して、前記分割ＯＳＤ画像データの位置を示す位置情報を前記第２画像処理回路に出力し、
前記第２画像処理回路が、入力画像を表す入力画像データと、前記ｎ個の分割ＯＳＤ画像データと、前記位置情報とに基づいて、前記入力画像に前記ＯＳＤ画像が重なった合成画像を表す合成画像データを出力する
ことを特徴とする画像処理方法。
【発明の詳細な説明】
【技術分野】
【０００１】
本発明は、画像情報を処理する技術に関する。
【背景技術】
【０００２】
特許文献１には、入力画像にＯＳＤ（On Screen Display）画像を重ねた合成画像を表す合成画像データを生成する機能（以下「ＯＳＤ機能」とも称する）を有するプロジェクターが記載されている。
【先行技術文献】
【特許文献】
【０００３】
【特許文献１】特開２０１５−１４１３６５号公報
【発明の概要】
【発明が解決しようとする課題】
【０００４】
ところで、ＯＳＤ機能を２つの画像処理回路（以下、２つの画像処理回路を「第１画像処理回路」と「第２画像処理回路」と称する）を用いて実現することが考えられる。例えば、第１画像処理回路が、ＯＳＤ画像を表すＯＳＤ画像データをメモリーから読み出し、当該ＯＳＤ画像データを第２画像処理回路に送信する。第２画像処理回路は、第１画像処理回路から受信したＯＳＤ画像データと、入力画像を表す入力画像データとを用いて、合成画像を表す合成画像データを出力する。
【０００５】
しかしながら、このような構成では、ＯＳＤ画像データの解像度が高くなると、第１画像処理回路から第２画像処理回路へＯＳＤ画像データを送信する処理に時間が掛かるため、合成画像データを出力するまでに時間が掛かってしまう。
【０００６】
本発明は上述した事情に鑑みてなされたものであり、２つの画像処理回路を用いてＯＳＤ機能を実現する場合に、合成画像データを出力するまでに要する時間を短くできる技術を提供することを解決課題とする。
【課題を解決するための手段】
【０００７】
本発明に係る画像処理装置の一態様は、第１画像処理回路と、第１信号線および第２信号線を介して前記第１画像処理回路と接続される第２画像処理回路と、を備え、前記第１画像処理回路は、前記第１信号線を介して、ＯＳＤ画像を表すＯＳＤ画像データをｎ分割したｎ個の分割ＯＳＤ画像データを前記第２画像処理回路に出力し、前記第２信号線を介して、前記分割ＯＳＤ画像データの位置を示す位置情報を前記第２画像処理回路に出力し、前記第２画像処理回路は、第１入力画像を表す第１入力画像データと、前記ｎ個の分割ＯＳＤ画像データと、前記位置情報と、に基づいて、前記第１入力画像に前記ＯＳＤ画像が重なった合成画像を表す合成画像データを出力することを特徴とする。
この態様によれば、ＯＳＤ画像データよりも解像度の低い分割ＯＳＤ画像データが、第１画像処理回路から第２画像処理回路に出力される。このため、例えば、ＯＳＤ画像データが第１画像処理回路から第２画像処理回路に出力される構成よりも、第１画像処理回路から第２画像処理回路へＯＳＤ画像に応じたデータを送信するために要する時間を短くすることができる。したがって、この態様によれば、合成画像データを出力するまでに要する時間を短くすることが可能になる。
【０００８】
上述した画像処理装置の一態様において、前記第１画像処理回路は、前記ＯＳＤ画像データをｎ分割して前記ｎ個の分割ＯＳＤ画像データを生成する分割部を備えることが望ましい。
この態様によれば、ＯＳＤ画像データから分割ＯＳＤ画像データを生成することが可能になる。
【０００９】
上述した画像処理装置の一態様において、前記第１画像処理回路は、動作モードが第１モードである場合、前記第１信号線を介して前記分割ＯＳＤ画像を前記第２画像処理回路に出力し、前記動作モードが第２モードである場合、前記第１信号線を介して、第２入力画像を表す第２入力画像データを前記第２画像処理回路に出力し、前記第２画像処理回路は、前記動作モードが前記第１モードである場合、前記第１入力画像データと前記ｎ個の分割ＯＳＤ画像データと前記位置情報とに基づいて、前記合成画像データを出力し、前記動作モードが前記第２モードである場合、前記第２入力画像データについて解像度を変換する処理を施して出力画像データを出力することが望ましい。
この態様によれば、動作モードを切り替えることによって、合成画像データを出力する機能と、出力画像データを出力する機能とを、択一的に実行することが可能になる。
【００１０】
上述した画像処理装置の一態様において、前記第１画像処理回路は、前記第２信号線を介して、前記動作モードを示す動作モード情報を前記第２画像処理回路に出力し、前記第２画像処理回路は、前記動作モード情報に基づいて前記動作モードを決定することが望ましい。
この態様によれば、位置情報を第２画像処理回路に伝えるために使用される第２信号線を、動作モード情報を第２画像処理回路に伝えるための信号線として兼用することが可能になる。このため、例えば、動作モード情報を第２画像処理回路に伝えるための信号線が専用線である構成に比べて、構成の簡略化を図ることが可能になる。
【００１１】
上述した画像処理装置の一態様において、前記第２画像処理回路は、フレームメモリーを有し、前記位置情報は、前記分割ＯＳＤ画像データの前記フレームメモリーにおける位置を示し、前記第２画像処理回路は、前記位置情報に基づいて、前記分割ＯＳＤ画像データを前記フレームメモリーに書き込むことによって、前記ＯＳＤ画像データを生成することが望ましい。
この態様によれば、第２画像処理回路は、位置情報と分割ＯＳＤ画像データとを用いてＯＳＤ画像データを復元することが可能になる。
【００１２】
上述した画像処理装置の一態様において、前記第２画像処理回路は、前記第１画像処理回路からの指示に応じて、前記合成画像データを出力することが望ましい。
この態様によれば、第２画像処理回路が合成画像データを出力する動作を、第１画像処理回路が制御可能になる。
【００１３】
上述した画像処理装置の一態様において、前記第１画像処理回路は、前記ＯＳＤ画像データの解像度が閾値以上である場合、前記分割ＯＳＤ画像データを前記第２画像処理回路に出力することが望ましい。
この態様によれば、例えば、ＯＳＤ画像データの解像度が閾値以上であるために、ＯＳＤ画像データを第１画像処理回路から第２画像処理回路に送信するのに時間が掛かる場合にのみ、分割ＯＳＤ画像データを送信することが可能になる。
【００１４】
上述した画像処理装置の一態様において、前記第１画像処理回路は、前記ＯＳＤ画像データの解像度が前記閾値未満である場合、前記ＯＳＤ画像データを圧縮して圧縮ＯＳＤ画像データを生成し、第３信号線を介して前記圧縮ＯＳＤ画像データを前記第２画像処理回路に出力し、前記第２画像処理回路は、前記圧縮ＯＳＤ画像データを解凍して解凍ＯＳＤ画像データを生成し、前記解凍ＯＳＤ画像データと前記入力画像データとに基づいて、前記合成画像データを出力することが望ましい。
この態様によれば、ＯＳＤ画像データの解像度が閾値未満である場合に、ＯＳＤ画像データを圧縮した圧縮ＯＳＤ画像データが第１画像処理回路から第２画像処理回路に出力される。このため、例えば、ＯＳＤ画像データが圧縮されずに第１画像処理回路から第２画像処理回路に出力される構成よりも、第１画像処理回路から第２画像処理回路へＯＳＤ画像に応じたデータを送信する時間を短くすることができる。したがって、この態様によれば、合成画像データの出力までに要する時間を短くすることが可能になる。
【００１５】
上述した画像処理装置の一態様において、前記第１画像処理回路は、前記ＯＳＤ画像データの解像度が前記閾値未満であり、かつ、前記ＯＳＤ画像データが予め設定された圧縮条件を満たす場合、前記圧縮ＯＳＤ画像データを生成し、前記第３信号線を介して前記圧縮ＯＳＤ画像データを前記第２画像処理回路に出力することが望ましい。
この態様によれば、ＯＳＤ画像データの解像度が閾値未満であり、かつ、ＯＳＤ画像データが予め設定された圧縮条件を満たす場合に、圧縮ＯＳＤ画像データを第１画像処理回路から第２画像処理回路に出力することが可能になる。この場合、圧縮条件を適宜設定することによって、例えば、圧縮の効果が出るＯＳＤ画像データのみ、圧縮することが可能になり、効果の出ない圧縮を抑制可能になる。
【００１６】
本発明に係る表示装置の一態様は、上記画像処理装置と、前記画像処理装置が出力した合成画像データに応じた画像を表示面に表示する表示部と、を含むことを特徴とする。
この態様によれば、合成画像データを出力するまでに要する時間を短くできるため、合成画像データに応じた画像を表示するのに要する時間を短縮可能になる。
【００１７】
本発明に係る画像処理方法の一態様は、第１画像処理回路が、第１信号線を介して、ＯＳＤ画像を表すＯＳＤ画像データをｎ分割したｎ個の分割ＯＳＤ画像データを第２画像処理回路に出力し、かつ、第２信号線を介して、前記分割ＯＳＤ画像データの位置を示す位置情報を前記第２画像処理回路に出力し、前記第２画像処理回路が、入力画像を表す入力画像データと、前記ｎ個の分割ＯＳＤ画像データと、前記位置情報とに基づいて、前記入力画像に前記ＯＳＤ画像が重なった合成画像を表す合成画像データを出力することを特徴とする。
この態様によれば、ＯＳＤ画像データよりも解像度の低い分割ＯＳＤ画像データが、第１画像処理回路から第２画像処理回路に出力される。このため、ＯＳＤ画像データが第１画像処理回路から第２画像処理回路に出力される構成よりも、第１画像処理回路から第２画像処理回路へＯＳＤ画像に応じたデータを送信する処理に時間を短くすることができる。したがって、この態様によれば、合成画像データの出力までに要する時間を短くすることが可能になる。
【図面の簡単な説明】
【００１８】
【図１】第１実施形態に係るプロジェクター１を示した図である。
【図２】仮想フレームメモリー１０４の一例を示した図である。
【図３】ＯＳＤフレームメモリー２０６の一例を示した図である。
【図４】投射部４０の一例を示した図である。
【図５】プロジェクター１の動作を説明するためのフローチャートである。
【図６】第２実施形態に係るプロジェクター１Ａを示した図である。
【図７】プロジェクター１Ａの動作を説明するためのフローチャートである。
【図８】画像処理回路１００の一例を示した図である。
【発明を実施するための形態】
【００１９】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００２０】
＜第１実施形態＞
図１は、第１実施形態に係るプロジェクター１を示した図である。プロジェクター１は、表示装置の一例である。
プロジェクター１は、操作部１０と、記憶部２０と、画像処理装置３０と、投射部４０と、を含む。
【００２１】
操作部１０は、例えば、各種の操作ボタン、操作キーまたはタッチパネルである。操作部１０は、ユーザーの入力操作を受け取る。操作部１０は、ユーザーの入力操作に応じた情報を無線または有線で送信するリモートコントローラー等であってもよい。その場合、プロジェクター１は、リモートコントローラーが送信した情報を受信する受信部を備える。リモートコントローラーは、ユーザーの入力操作を受け取る各種の操作ボタン、操作キーまたはタッチパネルを備える。
【００２２】
記憶部２０は、ＯＳＤ画像を表すＯＳＤ画像データを記憶する。ＯＳＤ画像データは、３８４０×２１６０画素（以下「４Ｋ」とも称する）の解像度を有する。ＯＳＤ画像は、例えば、メニュー画面を表す。ＯＳＤ画像は、メニュー画面に限らず適宜変更可能である。
【００２３】
画像処理装置３０は、第１入力画像を表す第１入力画像データをＰＣ（パーソナルコンピューター）等の外部装置２から取り込む。第１入力画像データは、４Ｋの解像度を有する。
画像処理装置３０は、第２入力画像を表す第２入力画像データをＰＣ等の外部装置３から取り込む。第２入力画像データは、１９２０×１０８０画素（以下「１０８０ｐ」とも称する）の解像度を有する。
【００２４】
画像処理装置３０は、動作モードとして、ＯＳＤモードと、入力画像モードと、を有する。ＯＳＤモードは、第１モードの一例である。入力画像モードは、第２モードの一例である。
【００２５】
画像処理装置３０は、ＯＳＤモードでは、記憶部２０が記憶する４ＫのＯＳＤ画像データと、外部装置２から取り込んだ４Ｋの第１入力画像データとを用いて、第１入力画像にＯＳＤ画像が重なった合成画像を表す合成画像データを出力する。合成画像データは、４Ｋの解像度を有する。
【００２６】
画像処理装置３０は、入力画像モードでは、外部装置３から取り込んだ１０８０ｐの第２入力画像データの解像度を変換するスケーリング処理を実行して、第２入力画像を表す出力画像データを生成する。出力画像データは、４Ｋの解像度を有する。
【００２７】
画像処理装置３０は、画像処理回路１００および２００と、信号線３００および４００とを含む。画像処理回路１００は、第１画像処理回路の一例である。画像処理回路１００は、マスター回路として機能する。画像処理回路２００は、第２画像処理回路の一例である。画像処理回路２００は、スレーブ回路として機能する。画像処理回路２００は、信号線３００および４００を介して画像処理回路１００と接続される。信号線３００は、第１信号線の一例である。信号線４００は、第２信号線の一例である。
【００２８】
ＯＳＤモードでは、画像処理回路１００および２００は、以下のように動作する。
画像処理回路１００は、４ＫのＯＳＤ画像データを４分割して４個の分割ＯＳＤ画像データを生成する。各分割ＯＳＤ画像データは、１０８０ｐの解像度を有する。画像処理回路１００は、信号線３００を介して、４個の分割ＯＳＤ画像データを画像処理回路２００に出力する。また、画像処理回路１００は、信号線４００を介して、分割ＯＳＤ画像データの位置を示す位置情報を画像処理回路２００に出力する。分割ＯＳＤ画像データの位置情報は、分割ＯＳＤ画像データが出力されている期間内に出力されてもよいし、分割ＯＳＤ画像データが出力される前に出力されてもよい。
画像処理回路２００は、外部装置２から取り込んだ４Ｋの第１入力画像データと、信号線３００を介して受け取った４個の分割ＯＳＤ画像データと、信号線４００を介して受け取った位置情報と、に基づいて、合成画像データを生成する。
【００２９】
入力画像モードでは、画像処理回路１００および２００は、以下のように動作する。
画像処理回路１００は、外部装置３から取り込んだ１０８０ｐの第２入力画像データを、信号線３００を介して画像処理回路２００に出力する。
画像処理回路２００は、信号線３００を介して受け取った第２入力画像データについてスケーリング処理を施して出力画像データを生成する。
【００３０】
次に、画像処理回路１００について説明する。
画像処理回路１００は、制御部１０１と、取込部１０２と、読出部１０３と、仮想フレームメモリー１０４と、Ｉ２Ｃ（Inter Integrated Circuit）出力部１０５と、スイッチャー１０６と、ＬＶＤＳ（Low voltage differential signaling）出力部１０７と、を含む。
【００３１】
制御部１０１は、操作部１０へのユーザーの入力操作に応じて種々の制御を実行する。例えば、制御部１０１は、ユーザーの入力操作に応じて動作モードを切り替える。制御部１０１は、動作モードを示す動作モード情報を、読出部１０３と、Ｉ２Ｃ出力部１０５と、スイッチャー１０６に通知する。また、制御部１０１は、動作モードをＯＳＤモードに切り替えた場合、投射部４０に黒色の画像を投射させるブラックアウト開始指示を、Ｉ２Ｃ出力部１０５に出力する。
【００３２】
取込部１０２は、外部装置３から１０８０ｐの第２入力画像データを取り込む。
読出部１０３は、動作モード情報がＯＳＤモードを示す場合、記憶部２０から４ＫのＯＳＤ画像データを読み出す。読出部１０３は、動作モード情報が入力画像モードを示す場合、記憶部２０から４ＫのＯＳＤ画像データを読み出さない。
【００３３】
仮想フレームメモリー１０４は、ＯＳＤ画像データをｎ分割してｎ個の分割ＯＳＤ画像データを生成する分割部の一例である。ここで、ｎは２以上の整数である。以下では、ｎ＝４として説明を行う。仮想フレームメモリー１０４は、読出部１０３が読み出した４ＫのＯＳＤ画像データを４分割して４個の分割ＯＳＤ画像データを生成する。なお、ｎは４に限らず上述したように２以上であればよい。また、仮想フレームメモリー１０４は、分割ＯＳＤ画像データの位置を示す位置情報を出力する。
【００３４】
図２は、仮想フレームメモリー１０４の一例を示した図である。
仮想フレームメモリー１０４は、４Ｋ用フレームメモリー１０４０と、分割用フレームメモリー１０４１〜１０４４と、制御部１０４５と、を含む。
【００３５】
４Ｋ用フレームメモリー１０４０は、４Ｋの画像データを記憶できる記憶容量を有している。４Ｋ用フレームメモリー１０４０は、左上領域Ｒ１と、右上領域Ｒ２と、左下領域Ｒ３と、右下領域Ｒ４とに４等分されている。左上領域Ｒ１と右上領域Ｒ２と左下領域Ｒ３と右下領域Ｒ４の各々は、１０８０ｐの画像データを記憶可能である。
【００３６】
分割用フレームメモリー１０４１〜１０４４の各々は、１０８０ｐの画像データを記憶できる記憶容量を有している。分割用フレームメモリー１０４１は、左上領域Ｒ１に対応する。分割用フレームメモリー１０４２は、右上領域Ｒ２に対応する。分割用フレームメモリー１０４３は、左下領域Ｒ３に対応する。分割用フレームメモリー１０４４は、右下領域Ｒ４に対応する。
【００３７】
制御部１０４５は、４Ｋ用フレームメモリー１０４０と分割用フレームメモリー１０４１〜１０４４とを用いて、４ＫのＯＳＤ画像データから４つの１０８０ｐの分割ＯＳＤ画像データを生成する。
【００３８】
例えば、制御部１０４５は、まず、４ＫのＯＳＤ画像データを４Ｋ用フレームメモリー１０４０に書き込む。なお、制御部１０４５は、読出部１０３が記憶部２０から読み出した４ＫのＯＳＤ画像ではなく、所定の描画アルゴリズムに従って制御部１０４５が生成した４ＫのＯＳＤ画像を４Ｋ用フレームメモリー１０４０に書き込んでもよい。
続いて、制御部１０４５は、４ＫのＯＳＤ画像データのうち、左上領域Ｒ１に書き込まれている部分を、左上領域Ｒ１に対応する分割用フレームメモリー１０４１に書き込む。また、制御部１０４５は、４ＫのＯＳＤ画像データのうち、右上領域Ｒ２に書き込まれている部分を分割用フレームメモリー１０４２に書き込み、左下領域Ｒ３に書き込まれている部分を分割用フレームメモリー１０４３に書き込み、右下領域Ｒ４に書き込まれている部分を分割用フレームメモリー１０４４に書き込む。分割用フレームメモリー１０４１〜１０４４の各々に書き込まれたデータは、分割ＯＳＤ画像データとして用いられる。
【００３９】
以下、分割用フレームメモリー１０４１に書き込まれた分割ＯＳＤ画像データを「分割ＯＳＤ画像データ（０）」とも称する。また、分割用フレームメモリー１０４２に書き込まれた分割ＯＳＤ画像データを「分割ＯＳＤ画像データ（１）」とも称し、分割用フレームメモリー１０４３に書き込まれた分割ＯＳＤ画像データを「分割ＯＳＤ画像データ（２）」とも称し、分割用フレームメモリー１０４４に書き込まれた分割ＯＳＤ画像データを「分割ＯＳＤ画像データ（３）」とも称する。
【００４０】
仮想フレームメモリー１０４において、４Ｋ用フレームメモリー１０４０と、分割用フレームメモリー１０４１〜１０４４は、図２に示したように、物理的に異なるメモリーで構成されてもよいが、時分割で、４Ｋ用フレームメモリー１０４０と分割用フレームメモリー１０４１〜１０４４とに切り替えられる同一のフレームメモリーによって構成されてもよい。
ここで、仮想フレームメモリー１０４において、４Ｋ用フレームメモリー１０４０と分割用フレームメモリー１０４１〜１０４４とを同一のフレームメモリーで構成する一例を説明する。
例えば、同一のフレームメモリーとして４Ｋ用フレームメモリー１０４０が用いられた場合、まず、制御部１０４５は、４Ｋ用フレームメモリー１０４０に４ＫのＯＳＤ画像データを書き込む。続いて、制御部１０４５は、４Ｋ用フレームメモリー１０４０からの画像データの読み出し位置を、領域Ｒ１〜Ｒ４の位置に設定する。この設定によって、分割ＯＳＤ画像データ（０）〜分割ＯＳＤ画像データ（３）の読み出しが可能になる。
このため、仮想フレームメモリー１０４において、４Ｋ用フレームメモリー１０４０と分割用フレームメモリー１０４１〜１０４４とを同一のフレームメモリーで構成することが可能になる。
以下では、仮想フレームメモリー１０４においては、４Ｋ用フレームメモリー１０４０と分割用フレームメモリー１０４１〜１０４４とが同一のフレームメモリーで構成されているとする。
【００４１】
制御部１０４５は、分割用フレームメモリー１０４１〜１０４４に書き込まれた分割ＯＳＤ画像データを、スイッチャー１０６に出力する。なお、制御部１０４５は、特定の描画アルゴリズムに従って分割ＯＳＤ画像データを生成し、生成した分割ＯＳＤ画像データをスイッチャー１０６に出力してもよい。
【００４２】
また、制御部１０４５は、分割ＯＳＤ画像データ（０）〜分割ＯＳＤ画像データ（３）の各々について、当該分割ＯＳＤ画像データの位置を示す位置情報をＩ２Ｃ出力部１０５に出力する。
本実施形態では、制御部１０４５は、分割ＯＳＤ画像データ（０）の位置情報として、４Ｋ用フレームメモリー１０４０における左上領域Ｒ１の位置を示す情報（座標情報）をＩ２Ｃ出力部１０５に出力する。
制御部１０４５は、分割ＯＳＤ画像データ（１）の位置情報として、４Ｋ用フレームメモリー１０４０における右上領域Ｒ２の位置を示す情報（座標情報）をＩ２Ｃ出力部１０５に出力する。
制御部１０４５は、分割ＯＳＤ画像データ（２）の位置情報として、４Ｋ用フレームメモリー１０４０における左下領域Ｒ３の位置を示す情報（座標情報）をＩ２Ｃ出力部１０５に出力する。
制御部１０４５は、分割ＯＳＤ画像データ（３）の位置情報として、４Ｋ用フレームメモリー１０４０における右下領域Ｒ４の位置を示す情報（座標情報）をＩ２Ｃ出力部１０５に出力する。
【００４３】
また、制御部１０４５は、分割ＯＳＤ画像データについてキャプチャーの開始を指示するキャプチャー開始指示をＩ２Ｃ出力部１０５に出力する。
【００４４】
また、制御部１０４５は、４つの分割ＯＳＤ画像データの出力が終了すると、ＯＳＤ表示指示をＩ２Ｃ出力部１０５に出力する。ＯＳＤ表示指示は、第１画像処理回路からの指示の一例である。
【００４５】
図１に戻って、Ｉ２Ｃ出力部１０５は、動作モード情報と位置情報とキャプチャー開始指示とブラックアウト開始指示とＯＳＤ表示指示とを、信号線４００を介してＩ２Ｃ規格に基づく通信方式で画像処理回路２００に出力する。
【００４６】
スイッチャー１０６は、動作モード情報がＯＳＤモードを示す場合、仮想フレームメモリー１０４から受け取った１０８０ｐの分割ＯＳＤ画像データをＬＶＤＳ出力部１０７に出力する。
スイッチャー１０６は、動作モード情報が入力画像モードを示す場合、取込部１０２が取り込んだ１０８０ｐの第２入力画像データをＬＶＤＳ出力部１０７に出力する。
【００４７】
ＬＶＤＳ出力部１０７は、スイッチャー１０６から１０８０ｐの分割ＯＳＤ画像データを受け取った場合、当該１０８０ｐの分割ＯＳＤ画像データを、信号線３００を介してＬＶＤＳ規格に基づく通信方式で画像処理回路２００に出力する。
ＬＶＤＳ出力部１０７は、スイッチャー１０６から１０８０ｐの第２入力画像データを受け取った場合、当該１０８０ｐの第２入力画像データを、信号線３００を介してＬＶＤＳ規格に基づく通信方式で画像処理回路２００に出力する。
【００４８】
次に、画像処理回路２００について説明する。
画像処理回路２００は、ＬＶＤＳ入力部２０１と、Ｉ２Ｃ入力部２０２と、モード管理部２０３と、スイッチャー２０４と、書込み制御部２０５と、ＯＳＤフレームメモリー２０６と、変換部２０７と、重畳部２０８と、取込部２０９と、制御部２１２とを含む。
【００４９】
ＬＶＤＳ入力部２０１は、１０８０ｐの分割ＯＳＤ画像データと１０８０ｐの第２入力画像データとを、択一的に、信号線３００を介してＬＶＤＳ規格に基づく通信方式で受け取る。
【００５０】
Ｉ２Ｃ入力部２０２は、動作モード情報とブラックアウト開始指示と位置情報とキャプチャー開始指示とＯＳＤ表示指示を、信号線４００を介してＩ２Ｃ規格に基づく通信方式で受け取る。Ｉ２Ｃ入力部２０２は、動作モード情報とブラックアウト開始指示と位置情報とキャプチャー開始指示を、制御部２１２に出力する。
【００５１】
制御部２１２は、動作モード情報をモード管理部２０３に出力し、位置情報とキャプチャー開始指示を書込み制御部２０５に出力し、ブラックアウト開始指示とＯＳＤ表示指示とを重畳部２０８に出力する。
【００５２】
モード管理部２０３は、動作モード情報に従って動作モードを決定して管理する。モード管理部２０３は、動作モード情報を、スイッチャー２０４と変換部２０７と重畳部２０８に出力する。
【００５３】
スイッチャー２０４は、動作モード情報がＯＳＤモードを示す場合、ＬＶＤＳ入力部２０１が受け取った１０８０ｐの分割ＯＳＤ画像データを書込み制御部２０５に出力し、かつ、取込部２０９が外部装置２から取り込んだ４Ｋの第１入力画像データを、変換部２０７に出力する。
スイッチャー２０４は、動作モード情報が入力画像モードを示す場合、ＬＶＤＳ入力部２０１が受け取った１０８０ｐの第２入力画像データを変換部２０７に出力する。
【００５４】
書込み制御部２０５は、キャプチャー開始指示を受け取ると、１０８０ｐの分割ＯＳＤ画像データを、当該分割ＯＳＤ画像データの位置情報に基づいてＯＳＤフレームメモリー２０６に書込む。
【００５５】
図３は、ＯＳＤフレームメモリー２０６の一例を示した図である。
ＯＳＤフレームメモリー２０６は、４Ｋ用フレームメモリー２０６０と、フレームメモリー２０６１〜２０６４と、制御部２０６５と、を含む。
４Ｋ用フレームメモリー２０６０は、４Ｋの画像データを記憶できる記憶容量を有している。４Ｋ用フレームメモリー２０６０は、左上領域Ｓ１と、右上領域Ｓ２と、左下領域Ｓ３と、右下領域Ｓ４とに４等分されている。左上領域Ｓ１と右上領域Ｓ２と左下領域Ｓ３と右下領域Ｓ４の各々は、１０８０ｐの画像データを記憶可能である。
【００５６】
さらに言えば、４Ｋ用フレームメモリー２０６０に対する左上領域Ｓ１の相対位置（座標）は、４Ｋ用フレームメモリー１０４０に対する左上領域Ｒ１の相対位置（座標）と等しくなる。
このため、４Ｋ用フレームメモリー１０４０における左上領域Ｒ１の位置を示す分割ＯＳＤ画像データ（０）の位置情報は、実質的に、４Ｋ用フレームメモリー２０６０における左上領域Ｓ１の位置を示すことになる。
同様の理由により、４Ｋ用フレームメモリー１０４０における右上領域Ｒ２の位置を示す分割ＯＳＤ画像データ（１）の位置情報は、実質的に、４Ｋ用フレームメモリー２０６０における右上領域Ｓ２の位置を示すことになる。
また、４Ｋ用フレームメモリー１０４０における左下領域Ｒ３の位置を示す分割ＯＳＤ画像データ（２）の位置情報は、実質的に、４Ｋ用フレームメモリー２０６０における左下領域Ｓ３の位置を示すことになる。
また、４Ｋ用フレームメモリー１０４０における右下領域Ｒ４の位置を示す分割ＯＳＤ画像データ（３）の位置情報は、実質的に、４Ｋ用フレームメモリー２０６０における右下領域Ｓ４の位置を示すことになる。
【００５７】
フレームメモリー２０６１〜２０６４の各々は、１０８０ｐの画像データを記憶できる記憶容量を有している。フレームメモリー２０６１は、左上領域Ｓ１に対応する。フレームメモリー２０６２は、右上領域Ｓ２に対応する。フレームメモリー２０６３は、左下領域Ｓ３に対応する。フレームメモリー２０６４は、右下領域Ｓ４に対応する。
【００５８】
書込み制御部２０５は、位置情報が左上領域Ｒ１の位置を示す分割ＯＳＤ画像データ（０）を、左上領域Ｓ１に対応するフレームメモリー２０６１に書き込む。
書込み制御部２０５は、位置情報が右上領域Ｒ２の位置を示す分割ＯＳＤ画像データ（１）を、右上領域Ｓ２に対応するフレームメモリー２０６２に書き込む。
書込み制御部２０５は、位置情報が左下領域Ｒ３の位置を示す分割ＯＳＤ画像データ（２）を、左下領域Ｓ３に対応するフレームメモリー２０６３に書き込む。
書込み制御部２０５は、位置情報が右下領域Ｒ４の位置を示す分割ＯＳＤ画像データ（３）を、右下領域Ｓ４に対応するフレームメモリー２０６４に書き込む。
【００５９】
制御部２０６５は、フレームメモリー２０６１に書き込まれた分割ＯＳＤ画像データ（０）を、４Ｋ用フレームメモリー２０６０の領域Ｓ１に書き込む。
制御部２０６５は、フレームメモリー２０６２に書き込まれた分割ＯＳＤ画像データ（１）を、４Ｋ用フレームメモリー２０６０の領域Ｓ２に書き込む。
制御部２０６５は、フレームメモリー２０６３に書き込まれた分割ＯＳＤ画像データ（２）を、４Ｋ用フレームメモリー２０６０の領域Ｓ３に書き込む。
制御部２０６５は、フレームメモリー２０６２に書き込まれた分割ＯＳＤ画像データ（３）を、４Ｋ用フレームメモリー２０６０の領域Ｓ４に書き込む。
このため、４Ｋ用フレームメモリー２０６０において４ＫのＯＳＤ画像データが復元される。
【００６０】
ＯＳＤフレームメモリー２０６において、フレームメモリー２０６１〜２０６４が省略されてもよい。
この場合、書込み制御部２０５は、以下のように動作する。
書込み制御部２０５は、位置情報が左上領域Ｒ１の位置を示す分割ＯＳＤ画像データ（０）を、４Ｋ用フレームメモリー２０６０の左上領域Ｓ１に書き込む。
書込み制御部２０５は、位置情報が右上領域Ｒ２の位置を示す分割ＯＳＤ画像データ（１）を、４Ｋ用フレームメモリー２０６０の右上領域Ｓ２に書き込む。
書込み制御部２０５は、位置情報が左下領域Ｒ３の位置を示す分割ＯＳＤ画像データ（２）を、４Ｋ用フレームメモリー２０６０の左下領域Ｓ３に書き込む。
書込み制御部２０５は、位置情報が右下領域Ｒ４の位置を示す分割ＯＳＤ画像データ（３）を、４Ｋ用フレームメモリー２０６０の右下領域Ｓ４に書き込む。
以下では、ＯＳＤフレームメモリー２０６において、フレームメモリー２０６１〜２０６４が省略されているとする。
【００６１】
制御部２０６５は、４Ｋ用フレームメモリー２０６０から４ＫのＯＳＤ画像データを読み出し、当該４ＫのＯＳＤ画像データを重畳部２０８に出力する。
【００６２】
図１に戻って、変換部２０７は、動作モード情報がＯＳＤモードを示す場合、スイッチャー２０４から受け取った４Ｋの第１入力画像データについてスケーリング処理を施すことなく、当該４Ｋの第１入力画像データを重畳部２０８に出力する。
動作モード情報が入力画像モードを示す場合、変換部２０７は、スイッチャー２０４から受け取った１０８０ｐの第２入力画像データの解像度を４Ｋに変換するスケーリング処理を実行して出力画像データを生成し、当該出力画像データを重畳部２０８に出力する。
【００６３】
重畳部２０８は、ブラックアウト開始指示を受け取った場合、予め設定されたブラックアウト用画像データ（黒一色の４Ｋの画像データ）を投射部４０に出力する。ブラックアウト用画像データは、重畳部２０８に記憶されている。
なお、重畳部２０８は、ブラックアウト開始指示を受け取った場合、ブラックアウト用画像データを投射部４０に出力する代わりに、投射部４０にいかなる画像データも出力しないことで、ブラックアウトを実現させてもよい。
【００６４】
重畳部２０８は、動作モード情報がＯＳＤモードを示す状況で、ＯＳＤ表示指示を受け取った場合、ＯＳＤフレームメモリー２０６から受け取った４ＫのＯＳＤ画像データと、変換部２０７から受け取った４Ｋの第１入力画像データを用いて、４Ｋの合成画像データを生成して投射部４０に出力する。
また、重畳部２０８は、動作モード情報が入力画像モードを示す状況で、４Ｋの出力画像データを受け取った場合、当該４Ｋの出力画像データを投射部４０に出力する。
以下、重畳部２０８が出力する４Ｋのブラックアウト用画像データ、４Ｋの合成画像データおよび４Ｋの出力画像データをまとめて「重畳部２０８が出力する４Ｋの画像データ」とも称する。
【００６５】
投射部４０は、重畳部２０８が出力する４Ｋの画像データに応じた画像を投射面４に投射して表示する。投射部４０は、表示部の一例である。投射面４は、表示面の一例である。
図４は、投射部４０の一例を示した図である。投射部４０は、光源４１と、光変調装置の一例である３つの液晶ライトバルブ４２（４２Ｒ，４２Ｇ，４２Ｂ）と、投射光学系の一例である投射レンズ４３と、ライトバルブ駆動部４４等を含む。投射部４０は、光源４１から射出された光を液晶ライトバルブ４２で変調して投射画像（画像光）を形成し、この投射画像を投射レンズ４３から拡大投射する。
【００６６】
光源４１は、キセノンランプ、超高圧水銀ランプ、ＬＥＤ（Light Emitting Diode）、またはレーザー光源等からなる光源部４１ａと、光源部４１ａが放射した光の方向のばらつきを低減するリフレクター４１ｂとを含む。光源４１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ４２Ｒ，４２Ｇ，４２Ｂに入射する。
【００６７】
液晶ライトバルブ４２は、一対の透明基板間に液晶が封入された液晶パネル等によって構成される。液晶ライトバルブ４２には、マトリクス状に配列された複数の画素４２ｐからなる矩形の画素領域４２ａが形成されている。液晶ライトバルブ４２では、液晶に対して画素４２ｐごとに駆動電圧を印加することが可能である。ライトバルブ駆動部４４が、重畳部２０８から入力される４Ｋの画像データに応じた駆動電圧を各画素４２ｐに印加すると、各画素４２ｐは、画像データに応じた光透過率に設定される。このため、光源４１から射出された光は、画素領域４２ａを透過することで変調され、画像データに応じた画像が色光ごとに形成される。
【００６８】
各色の画像は、図示しない色合成光学系によって画素４２ｐごとに合成され、カラー画像光（カラー画像）である投射画像光（投射画像）が生成される。投射画像光は、投射レンズ４３によって投射面４に拡大投射される。
【００６９】
次に、動作を説明する。
図５は、プロジェクター１の動作を説明するためのフローチャートである。
制御部１０１は、操作部１０に対するユーザーの入力操作に応じて動作モードをＯＳＤモードに切り替えると（ステップＳ１０１：ＹＥＳ）、ブラックアウト開始指示をＩ２Ｃ出力部１０５に出力する。Ｉ２Ｃ出力部１０５は、制御部１０１から受け取ったブラックアウト開始指示を、信号線４００を介して画像処理回路２００に出力する（ステップＳ１０２）。
【００７０】
画像処理回路２００では、Ｉ２Ｃ入力部２０２は、画像処理回路１００から受け取ったブラックアウト開始指示を制御部２１２に出力する。制御部２１２は、Ｉ２Ｃ入力部２０２から受け取ったブラックアウト開始指示を重畳部２０８に出力する。重畳部２０８は、ブラックアウト開始指示を受け取ると、ブラックアウト用画像データを投射部４０に出力して投射部４０に黒一色の画像を投射させてブラックアウトを開始させる。画像処理装置３０は、投射部４０が黒一色の画像を投射している間に、後述するように合成画像データを生成する。
【００７１】
制御部１０１は、続いて、ＯＳＤモードを示す動作モード情報を、Ｉ２Ｃ出力部１０５と、読出部１０３と、スイッチャー１０６に通知する。
【００７２】
Ｉ２Ｃ出力部１０５は、制御部１０１から受け取った動作モード情報を、信号線４００を介して画像処理回路２００に出力する。
【００７３】
画像処理回路２００では、Ｉ２Ｃ入力部２０２は、画像処理回路１００から受け取った動作モード情報を制御部２１２に出力する。制御部２１２は、Ｉ２Ｃ入力部２０２から受け取った動作モード情報をモード管理部２０３に出力する。モード管理部２０３は、制御部２１２から受け取った動作モード情報を、スイッチャー２０４と、変換部２０７と、重畳部２０８に出力する。
【００７４】
画像処理回路１００では、読出部１０３は、ＯＳＤモードを示す動作モード情報を受け取ると、記憶部２０から４ＫのＯＳＤ画像データを読み出し、当該４ＫのＯＳＤ画像データを仮想フレームメモリー１０４に出力する。
【００７５】
仮想フレームメモリー１０４では、制御部１０４５は、読出部１０３から受け取った４ＫのＯＳＤ画像データを４Ｋ用フレームメモリー１０４０に書き込む（ステップＳ１０３）。
【００７６】
続いて、制御部１０４５は、制御部１０４５が保持する変数Ｎを「０」にする（ステップＳ１０４）。変数Ｎは、上述した分割ＯＳＤ画像データの括弧内の数値に対応する。
【００７７】
続いて、制御部１０４５は、４Ｋ用フレームメモリー１０４０からの画像データの読み出し位置を、分割画像データ（Ｎ）が書き込まれている位置（座標）に設定する（ステップＳ１０５）。
【００７８】
続いて、制御部１０４５は、分割ＯＳＤ画像データ（Ｎ）について、キャプチャー開始指示と、位置情報とを、Ｉ２Ｃ出力部１０５に出力する。Ｉ２Ｃ出力部１０５は、分割ＯＳＤ画像データ（Ｎ）についてのキャプチャー開始指示および位置情報を、信号線４００を介して画像処理回路２００に出力する（ステップＳ１０６）。
【００７９】
画像処理回路２００では、Ｉ２Ｃ入力部２０２は、画像処理回路１００から受け取った分割ＯＳＤ画像データ（Ｎ）についてのキャプチャー開始指示および位置情報を、制御部２１２に出力する。制御部２１２は、画像処理回路１００から受け取った分割ＯＳＤ画像データ（Ｎ）についてのキャプチャー開始指示および位置情報を、書込み制御部２０５に出力する。
【００８０】
続いて、制御部１０４５は、ステップＳ１０５で設定した４Ｋ用フレームメモリー１０４０における読み出し位置（座標）から分割ＯＳＤ画像データ（Ｎ）を読み出し、スイッチャー１０６に出力する。
【００８１】
スイッチャー１０６は、制御部１０１から受け取った動作モード情報がＯＳＤモードを示すため、仮想フレームメモリー１０４から受け取った分割ＯＳＤ画像データ（Ｎ）を、ＬＶＤＳ出力部１０７に出力する。ＬＶＤＳ出力部１０７は、スイッチャー１０６から受け取った分割ＯＳＤ画像データ（Ｎ）を、信号線３００を介して画像処理回路２００に出力する（ステップＳ１０７）。
【００８２】
画像処理回路２００では、ＬＶＤＳ入力部２０１は、分割ＯＳＤ画像データ（Ｎ）を受け取ると、当該分割ＯＳＤ画像データ（Ｎ）をスイッチャー２０４に出力する。
【００８３】
スイッチャー２０４は、モード管理部２０３から受け取った動作モード情報がＯＳＤモードを示すため、ＬＶＤＳ入力部２０１から受け取った分割ＯＳＤ画像データ（Ｎ）を、書込み制御部２０５に出力する。
【００８４】
書込み制御部２０５は、分割ＯＳＤ画像データ（Ｎ）についてのキャプチャー開始指示および位置情報をすでに受け取っているので、スイッチャー２０４から受け取った分割ＯＳＤ画像データ（Ｎ）を、４Ｋ用フレームメモリー２０６０の４つの領域Ｓ１〜Ｓ４のうち当該位置情報に応じた領域に書き込む。
【００８５】
続いて、画像処理回路１００の制御部１０４５は、分割ＯＳＤ画像データ（Ｎ）の終了を意味する垂直同期信号を待つ（ステップＳ１０８：ＮＯ）。つまり、制御部１０４５は、分割ＯＳＤ画像データ（Ｎ）の全体の読み出しが完了するまで待つ。
【００８６】
分割ＯＳＤ画像データ（Ｎ）の終了を意味する垂直同期信号が到来すると（ステップＳ１０８：ＹＥＳ）、制御部１０４５は、変数ＮにＮ＋１を代入する（ステップＳ１０９）。
【００８７】
続いて、変数Ｎが４未満であると（ステップＳ１１０：ＮＯ）、処理がステップＳ１０５に戻る。
【００８８】
画像処理回路２００では、スイッチャー２０４は、モード管理部２０３から受け取った動作モード情報がＯＳＤモードを示すため、取込部２０９を介して外部装置２から４Ｋの第１入力画像データを取り込み、当該第１入力画像データを変換部２０７に出力する。
【００８９】
変換部２０７は、モード管理部２０３から受け取った動作モード情報がＯＳＤモードを示すため、スイッチャー２０４から受け取った４Ｋの第１入力画像データについてスケーリング処理を施すことなく、当該第１入力画像データを重畳部２０８に出力する。
【００９０】
変数Ｎが４以上になると（ステップＳ１１０：ＹＥＳ）、すなわち、４Ｋ用フレームメモリー２０６０において４ＫのＯＳＤ画像データが復元されると、制御部１０４５は、ＯＳＤ表示指示をＩ２Ｃ出力部１０５に出力する。Ｉ２Ｃ出力部１０５は、制御部１０４５から受け取ったＯＳＤ表示指示を、信号線４００を介して画像処理回路２００に出力する（ステップＳ１１１）。
【００９１】
画像処理回路２００では、Ｉ２Ｃ入力部２０２は、画像処理回路１００から受け取ったＯＳＤ表示指示を、制御部２１２に出力する。制御部２１２は、Ｉ２Ｃ入力部２０２から受け取ったＯＳＤ表示指示を、重畳部２０８に出力する。
【００９２】
重畳部２０８は、ＯＳＤ表示指示を受け取ると、ＯＳＤフレームメモリー２０６の制御部２０６５に、ＯＳＤ画像データを要求するＯＳＤ画像データ要求を通知する。制御部２０６５は、ＯＳＤ画像データ要求に応じて、４Ｋ用フレームメモリー２０６０から４ＫのＯＳＤ画像データを読み出し重畳部２０８に出力する。
【００９３】
続いて、重畳部２０８は、４ＫのＯＳＤ画像データと、変換部２０７から受け取った４Ｋの第１入力画像データとを用いて、合成画像データを生成する。続いて、重畳部２０８は、ブラックアウト用画像データの出力を停止してブラックアウトを解除し、その後、合成画像データを投射部４０に出力して投射部４０に合成画像を投射面４に投射させる（ステップＳ１１２）。
【００９４】
一方、動作モードが入力画像モードに切り替えられた場合（ステップＳ１０１：ＮＯ）、画像処理回路１００では、制御部１０１は、入力画像モードを示す動作モード情報を、読出部１０３とＩ２Ｃ出力部１０５とスイッチャー１０６に通知する。
【００９５】
Ｉ２Ｃ出力部１０５は、制御部１０１から受け取った動作モード情報を、信号線４００を介して画像処理回路２００に出力する。
【００９６】
画像処理回路２００では、Ｉ２Ｃ入力部２０２は、画像処理回路１００から受け取った動作モード情報を、制御部２１２に出力する。制御部２１２は、Ｉ２Ｃ入力部２０２から受け取った動作モード情報を、モード管理部２０３に出力する。モード管理部２０３は、制御部２１２から受け取った動作モード情報を、スイッチャー２０４と、変換部２０７と、重畳部２０８に出力する。
【００９７】
画像処理回路１００では、読出部１０３は、入力画像モードを示す動作モード情報を受け取ると、記憶部２０から４ＫのＯＳＤ画像データを読み出すことを停止する。このため、読出部１０３から仮想フレームメモリー１０４への４ＫのＯＳＤ画像データの出力は停止し、仮想フレームメモリー１０４からの出力も停止する。
【００９８】
スイッチャー１０６は、動作モード情報が入力画像モードを示すため、取込部１０２が外部装置３から取り込んだ１０８０ｐの第２入力画像データを、ＬＶＤＳ出力部１０７および信号線３００を介して画像処理回路２００に出力する。
【００９９】
画像処理回路２００では、スイッチャー２０４は、動作モード情報が入力画像モードを示すため、信号線３００およびＬＶＤＳ入力部２０１を介して受け取った第２入力画像データを変換部２０７に出力する。変換部２０７は、動作モード情報が入力画像モードを示すため、第２入力画像データについてスケーリング処理を施して４Ｋの出力画像データを生成する（ステップＳ１１３）。画像処理回路２００は、４Ｋの出力画像データを投射部４０に出力して投射部４０に第２入力画像を投射面４に投射させる。
【０１００】
本実施形態に係る画像処理装置３０および画像処理方法によれば、ＯＳＤ画像データよりも解像度の低い分割ＯＳＤ画像データが、画像処理回路１００から画像処理回路２００に出力される。このため、ＯＳＤ画像データが画像処理回路１００から画像処理回路２００に出力される構成よりも、画像処理回路１００から画像処理回路２００へＯＳＤ画像に応じたデータを送信するための時間を短くできる。したがって、合成画像データを出力するまでに要する時間を短くすることが可能になる。
【０１０１】
例えば、４Ｋの画像データの通信では通信帯域が不足するため通信に多くの時間を要するが、１０８０ｐの画像データの通信では通信帯域が不足しない信号線（通信方式）が用いられた場合、画像データの通信に要する時間を短くすることが可能になる。
【０１０２】
また、この態様によれば、例えば通信帯域の関係で４Ｋの画像データの通信に対応できない通信方式を使って、実質的にＯＳＤ画像データを送信することが可能になる。
【０１０３】
＜第２実施形態＞
第１実施形態では、ＯＳＤ画像データの解像度が４Ｋである例を説明した。第２実施形態では、ＯＳＤ画像データの解像度が４Ｋに限らない例を説明する。第２実施形態では、ＯＳＤ画像データが、解像度が４Ｋ未満である場合には、分割されずに例えば圧縮されて出力され、解像度が４Ｋ以上である場合には、分割されて分割画像データで出力される。画像処理回路２００は、例えば、圧縮されたＯＳＤ画像データと第１入力画像データとに基づいて、合成画像データを出力する。
【０１０４】
図６は、第２実施形態に係るプロジェクター１Ａを示した図である。図６において、図１に示した構成と同一構成のものには同一符号を付してある。
プロジェクター１Ａは、画像処理回路１００が、圧縮部１０８とＳＰＩ（Serial Peripheral Interface）出力部１０９をさらに含み、画像処理回路２００が、ＳＰＩ入力部２１０と解凍部２１１をさらに含み、画像処理装置３０が、信号線５００をさらに含み、仮想フレームメモリー１０４とＯＳＤフレームメモリー２０６が更なる機能を有する点において、第１実施形態に係るプロジェクター１と異なる。以下、プロジェクター１Ａについて、プロジェクター１と異なる点を中心に説明する。
【０１０５】
仮想フレームメモリー１０４の制御部１０４５は、読出部１０３が読み出したＯＳＤ画像データの解像度が４Ｋ以上である場合、第１実施形態と同様の動作を実行する。一方、読出部１０３が読み出したＯＳＤ画像データの解像度が４Ｋ未満である場合、当該ＯＳＤ画像データを圧縮部１０８へ出力する。４Ｋは、閾値の一例である。
【０１０６】
圧縮部１０８は、圧縮機能を有する。圧縮部１０８は、仮想フレームメモリー１０４から受け取ったＯＳＤ画像データが、予め設定された圧縮条件を満たす場合、当該ＯＳＤ画像データを圧縮して圧縮ＯＳＤ画像データを生成する。圧縮条件の一例としては、「１０バイト以上同じ値のデータが連続する」という条件が挙げられる、圧縮条件は、「１０バイト以上同じ値のデータが連続する」という条件に限らず適宜変更可能である。
圧縮部１０８は、圧縮ＯＳＤ画像データを生成すると、キャプチャー開始指示と、圧縮した旨を示す圧縮有無情報と、圧縮ＯＳＤ画像データとを、ＳＰＩ出力部１０９に出力する。
【０１０７】
一方、仮想フレームメモリー１０４から受け取ったＯＳＤ画像データが、圧縮条件を満たさない場合、圧縮部１０８は、当該ＯＳＤ画像データを圧縮しない。この場合、圧縮部１０８は、キャプチャー開始指示と、圧縮していない旨を示す圧縮有無情報と、ＯＳＤ画像データとを、ＳＰＩ出力部１０９に出力する。
【０１０８】
ＳＰＩ出力部１０９は、圧縮部１０８から受け取ったキャプチャー開始指示、圧縮有無情報および圧縮ＯＳＤ画像データを、信号線５００を介してＳＰＩ規格に基づく通信方式で画像処理回路２００に出力する。信号線５００は、第３信号線の一例である。
また、ＳＰＩ出力部１０９は、圧縮部１０８から受け取ったキャプチャー開始指示、圧縮有無情報およびＯＳＤ画像データを、信号線５００を介してＳＰＩ規格に基づく通信方式で画像処理回路２００に出力する。
【０１０９】
ＳＰＩ入力部２１０は、ＳＰＩ出力部１０９から信号線５００を介してＳＰＩ規格に基づく通信方式で受け取ったキャプチャー開始指示と、圧縮有無情報と、圧縮ＯＳＤ画像データまたはＯＳＤ画像データとを、解凍部２１１に出力する。
【０１１０】
解凍部２１１は、解凍機能と、スケーリング処理機能とを有する。解凍部２１１は、ＳＰＩ入力部２１０から受け取った圧縮有無情報が圧縮した旨を示す場合、ＳＰＩ入力部２１０から受け取った圧縮ＯＳＤ画像データを解凍してＯＳＤ画像データを復元する。復元後のＯＳＤ画像データは、解凍ＯＳＤ画像データの一例である。続いて、解凍部２１１は、復元したＯＳＤ画像データの解像度を４Ｋにするスケーリング処理を実行する。
解凍部２１１は、ＳＰＩ入力部２１０から受け取った圧縮有無情報が圧縮していない旨を示す場合、ＳＰＩ入力部２１０から受け取ったＯＳＤ画像データの解像度を４Ｋにするスケーリング処理を実行する。
解凍部２１１は、キャプチャー開始指示と、４ＫのＯＳＤ画像データを、ＯＳＤフレームメモリー２０６に出力する。
【０１１１】
ＯＳＤフレームメモリー２０６は、キャプチャー開始指示と４ＫのＯＳＤ画像データを受け取ると、４ＫのＯＳＤ画像データを、ＯＳＤフレームメモリー２０６の４Ｋ用フレームメモリー２０６０に書き込む。
【０１１２】
図７は、プロジェクター１Ａの動作を説明するためのフローチャートである。図７において、図５に示した処理と同一の処理には同一符号を付してある。以下、図７に示した処理について、図５に示した処理と異なる処理を中心に説明する。
【０１１３】
ＯＳＤモードにおいて、仮想フレームメモリー１０４の制御部１０４５は、読出部１０３が記憶部２０から読み出したＯＳＤ画像データの解像度が４Ｋ以上であると（ステップＳ２０１：ＹＥＳ）、ステップＳ１０３を実行する。
【０１１４】
一方、読出部１０３が記憶部２０から読み出したＯＳＤ画像データの解像度が４Ｋ未満であると（ステップＳ２０１：ＮＯ）、制御部１０４５は、当該ＯＳＤ画像データを圧縮部１０８へ出力する。
【０１１５】
圧縮部１０８は、制御部１０４５から受け取ったＯＳＤ画像データが圧縮条件を満たす場合（ステップＳ２０２：ＹＥＳ）、ＯＳＤ画像データを圧縮して圧縮ＯＳＤ画像データを生成する（ステップＳ２０３）。続いて、圧縮部１０８は、キャプチャー開始指示と、圧縮した旨を示す圧縮有無情報と、圧縮ＯＳＤ画像データとを、ＳＰＩ出力部１０９に出力する。
【０１１６】
ＳＰＩ出力部１０９は、圧縮部１０８から受け取ったキャプチャー開始指示、圧縮した旨の圧縮有無情報および圧縮ＯＳＤ画像データを、信号線５００を介して画像処理回路２００に出力する（ステップＳ２０４）。
【０１１７】
画像処理回路２００では、ＳＰＩ入力部２１０は、信号線５００を介して、キャプチャー開始指示と、圧縮した旨の圧縮有無情報と、圧縮ＯＳＤ画像データを受信した場合、これらを解凍部２１１に出力する。
【０１１８】
解凍部２１１は、キャプチャー開始指示と、圧縮した旨の圧縮有無情報と、圧縮ＯＳＤ画像データを受け取ると、圧縮有無情報が圧縮した旨を示すため（ステップＳ２０５：ＹＥＳ）、圧縮ＯＳＤ画像データを解凍してＯＳＤ画像データを復元する（ステップＳ２０６）。
【０１１９】
続いて、解凍部２１１は、復元したＯＳＤ画像データの解像度を４Ｋに変換するスケーリング処理を実行する（ステップＳ２０７）。続いて、解凍部２１１は、解像度が４Ｋに変換されたＯＳＤ画像データと、キャプチャー開始指示とを、ＯＳＤフレームメモリー２０６に出力する。
【０１２０】
ＯＳＤフレームメモリー２０６では、制御部２０６５は、４ＫのＯＳＤ画像データとキャプチャー開始指示とを受け取ると、４ＫのＯＳＤ画像データを４Ｋ用フレームメモリー２０６０に書き込む（ステップＳ２０８）。
【０１２１】
一方、圧縮部１０８は、キャプチャー開始指示と、圧縮した旨を示す圧縮有無情報と、圧縮ＯＳＤ画像データとを、ＳＰＩ出力部１０９に出力した後、ＯＳＤ表示指示をＩ２Ｃ出力部１０５に出力する。Ｉ２Ｃ出力部１０５は、圧縮部１０８から受け取ったＯＳＤ表示指示を、信号線４００を介して画像処理回路２００に出力する（ステップＳ１１１）。
【０１２２】
なお、ステップＳ２０２において圧縮条件が満たされない場合（ステップＳ２０２：ＮＯ）、圧縮部１０８は、ステップＳ２０３をスキップし、キャプチャー開始指示と、圧縮していない旨を示す圧縮有無情報と、ＯＳＤ画像データとを、ＳＰＩ出力部１０９に出力する。
【０１２３】
ＳＰＩ出力部１０９は、圧縮部１０８から受け取ったキャプチャー開始指示、圧縮していない旨の圧縮有無情報およびＯＳＤ画像データを、信号線５００を介して画像処理回路２００に出力する（ステップＳ２０４）。
【０１２４】
画像処理回路２００では、ＳＰＩ入力部２１０は、信号線５００を介して、キャプチャー開始指示と、圧縮していない旨の圧縮有無情報と、ＯＳＤ画像データを受信した場合、これらの情報を解凍部２１１に出力する。
【０１２５】
解凍部２１１は、キャプチャー開始指示と、圧縮していない旨の圧縮有無情報と、圧縮ＯＳＤ画像データを受け取ると、圧縮有無情報が圧縮していない旨を示すため（ステップＳ２０５：ＮＯ）、ステップＳ２０６をスキップしてステップＳ２０７を実行する。
【０１２６】
本実施形態によれば、例えば、ＯＳＤ画像データの解像度が４Ｋ等の閾値以上であるために、ＯＳＤ画像データを画像処理回路１００から画像処理回路２００に送信するために時間が掛かる場合にのみ、分割ＯＳＤ画像データを送信することが可能になる。
【０１２７】
ＯＳＤ画像データの解像度が閾値未満である場合に、例えば、圧縮ＯＳＤ画像データが画像処理回路１００から画像処理回路２００に出力される。このため、ＯＳＤ画像データの解像度が４Ｋ等の閾値未満である場合に、常に、ＯＳＤ画像データが画像処理回路１００から画像処理回路２００に出力される構成よりも、画像処理回路１００から画像処理回路２００へＯＳＤ画像に応じたデータを送信する時間を短くすることができる。したがって、本実施形態によれば、合成画像データの出力までに要する時間を短くすることが可能になる。
【０１２８】
本実施形態では、ＯＳＤ画像データの解像度が閾値未満であり、かつ、ＯＳＤ画像データが圧縮条件を満たす場合に、圧縮ＯＳＤ画像データを画像処理回路１００から画像処理回路２００に出力することが可能になる。よって、圧縮条件を適宜設定することにより、圧縮処理を施してもデータの圧縮がほとんど図れないＯＳＤ画像データについては、効果が高くない圧縮処理を施すことを回避可能になる。
【０１２９】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【０１３０】
＜変形例１＞
ＯＳＤフレームメモリー２０６に、２つの４Ｋ用フレームメモリーが設けられ、一方の４Ｋ用フレームメモリーがフォアグランド用として使用され、他方の４Ｋ用フレームメモリーがバックグラウンド用として使用されてもよい。
【０１３１】
この場合、フォアグランド用の４Ｋ用フレームメモリーに書き込まれた４Ｋの画像データに応じた画像が投射されている間に、バックグラウンド用の４Ｋ用フレームメモリーを使って合成画像データが生成され、合成画像データの生成が完了したら、バックグラウンド用の４Ｋ用フレームメモリーとフォアグランド用の４Ｋ用フレームメモリーとをスワップしてもよい。具体的には、バックグラウンド用の４Ｋ用フレームメモリーにおいて合成画像データが生成したら、バックグラウンド用の４Ｋ用フレームメモリーをフォアグランド用の４Ｋ用フレームメモリーに切り替え、フォアグランド用の４Ｋ用フレームメモリーをバックグラウンド用の４Ｋ用フレームメモリーに切り替える。
【０１３２】
変形例１によれば、合成画像データを生成している間、合成画像の生成の経緯が表示されず、正常の画像が表示される。このため、ブラックアウトの処理を省略することが可能になる。
【０１３３】
＜変形例２＞
第１実施形態において、ＯＳＤ画像データの解像度と、第１入力画像データの解像度と、合成画像データの解像度は、それぞれ４Ｋに限らず、例えば４Ｋよりも高くてもよく適宜変更可能である。
第２実施形態において、第１入力画像データの解像度と、合成画像データの解像度は、それぞれ４Ｋに限らず、例えば４Ｋよりも高くてもよく適宜変更可能である。
【０１３４】
＜変形例３＞
第１実施形態および第２実施形態において、画像処理装置３０は、例えば、ＨＤＭＩ（登録商標）インターフェイス等の汎用インターフェイスを用いて、第１入力画像データおよび第２入力画像データを取り込む。なお、第１入力画像データの取込みに用いるインターフェイスと、第２入力画像データの取込みに用いるインターフェイスは、互いに異なる種類であってもよいし、同じ種類であってもよい。
【０１３５】
＜変形例４＞
信号線３００を用いた通信方式は、ＬＶＤＳ規格に基づく通信方式に限らず、適宜変更可能である。信号線４００を用いた通信方式は、Ｉ２Ｃ規格に基づく通信方式に限らず、適宜変更可能である。信号線５００を用いた通信方式は、ＳＰＩ規格に基づく通信方式に限らず、適宜変更可能である。
【０１３６】
＜変形例５＞
画像処理回路１００および２００の各々は、１または複数のＣＰＵ（Central Processing Unit）等のコンピューターによって構成される処理部と、コンピューターの動作を規定するプログラムを記憶する記憶部と、を有してもよい。
図８は、１または複数のＣＰＵ等のコンピューターによって構成される処理部１５１と、コンピューターが読み取り可能な記録媒体である記憶部１５２と、を有する画像処理回路１００の一例を示した図である。
処理部１５１は、記憶部１５２に記憶されているプログラムを読み取って実行することによって、制御部１０１と、取込部１０２と、読出部１０３と、制御部１０４５と、Ｉ２Ｃ出力部１０５と、スイッチャー１０６と、ＬＶＤＳ出力部１０７と、圧縮部１０８と、ＳＰＩ出力部１０９とを実現する。
【０１３７】
なお、画像処理回路２００においても、処理部が、記憶部に記憶されているプログラムを読み取って実行することによって、ＬＶＤＳ入力部２０１と、Ｉ２Ｃ入力部２０２と、モード管理部２０３と、スイッチャー２０４と、書込み制御部２０５と、制御部２０６５と、変換部２０７と、重畳部２０８と、取込部２０９とを実現する。
【０１３８】
＜変形例６＞
画像処理回路１００および２００の各々の要素の全部または一部は、例えばＦＰＧＡ（field programmable gate array）またはＡＳＩＣ（Application Specific IC）等の電子回路によりハードウェアで実現されてもよいし、ソフトウェアとハードウェアとの協働により実現されてもよい。
【０１３９】
＜変形例７＞
光変調装置として液晶ライトバルブ４２が用いられたが、光変調装置は液晶ライトバルブ４２に限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源４１が発した光を変調可能な構成は、光変調装置として採用できる。
【０１４０】
＜変形例８＞
表示装置としてプロジェクターが用いられたが、表示装置はプロジェクターに限らず適宜変更可能である。例えば、表示装置は、直視型のディスプレイあってもよい。この場合、投射部４０の代わりに、例えば液晶ディスプレイのような直視型の表示部が用いられる。
【符号の説明】
【０１４１】
１…プロジェクター、１０…操作部、２０…記憶部、３０…画像処理装置、４０…投射部、１００，２００…画像処理回路、３００，４００…信号線、１０１…制御部、１０２…取込部、１０３…読出部、１０４…仮想フレームメモリー、１０５…Ｉ２Ｃ出力部、１０６…スイッチャー、１０７…ＬＶＤＳ出力部、２０１…ＬＶＤＳ入力部、２０２…Ｉ２Ｃ入力部、２０３…モード管理部、２０４…スイッチャー、２０５…書込み制御部、２０６…ＯＳＤフレームメモリー、２０７…変換部、２０８…重畳部、２０９…取込部。
【図１】
2019134327.tif 000003
【図２】
2019134327.tif 000004
【図３】
2019134327.tif 000005
【図４】
2019134327.tif 000006
【図５】
2019134327.tif 000007
【図６】
2019134327.tif 000008
【図７】
2019134327.tif 000009
【図８】
2019134327.tif 000010